(57)【要約】【課題】  既存の床に新たな床材を貼り付ける床のリフォームにおいて、壁際においてぴったりと隙間なく配設することのできる新たな見切り材を提供すること。【解決手段】  前側において、前方に向けて開放され、長さ方向に沿って形成された、床材の木口部が嵌入する嵌合溝２を備え、内壁または既存の巾木に接触する背面３が、下端から上端に向かって斜め後方に傾斜し、弾性材から形成される。【選択図】図１
2006152546.tif 000002
【特許請求の範囲】
【請求項１】
前方に向けて開放され、床材の木口部が嵌入する嵌合溝を備え、背面が、下端から上端に向かって斜め後方に傾斜する、弾性材から形成されたことを特徴とする見切り材。
【請求項２】
嵌合溝の前端上部から背面上端にかけて傾斜する面を有し、上端部に当接片を備えている請求項１記載の見切り材。
【発明の詳細な説明】
【技術分野】
【０００１】
本願発明は、床をリフォームする際に、壁際に配設される見切り材に関するものである。
【背景技術】
【０００２】
床のリフォームとして、既存の床はそのまま残し、その上に新たな床材を貼る施工方法が知られている。この床のリフォームでは、バリアフリーを考慮し、厚さ２mm〜３mm程度の床材が用いられ、内壁や既存の巾木を取り替えずに施工する場合が増えてきている。
【０００３】
一方、そのように内壁や既存の巾木に変更を加えずに新たな床材を施工する際には、内壁または既存の巾木に接する床材端部を高い寸法精度で加工する必要があり、また、内壁または既存の巾木と床材との間に生ずる隙間や段差は見栄えを悪くするため、シーリング剤等により補正する必要があった。したがって、床のリフォームは、熟練を要し、多くの労力と時間のかかる面倒なものとなっていた。
【０００４】
このような床のリフォームにおける問題を解消するものとして、フロア補助具が提案されている（たとえば、特許文献１参照）。
【０００５】
図３に示したように、フロア補助具１１は、弾性材から形成され、縦断面コ字状の形状を有し、上面コーナー部に弾性変形可能なスカート状の当接片１２を備えている。このフロア補助具１１は壁際において使用される。すなわち、巾木に突き合わされる床材１３の木口部にフロア補助具１１が嵌着し、フロア補助具１１を既存の巾木の表面に当接させ、床材１３を敷設する。当接片１２は、フロア補助具１１と巾木の表面との間を弾力性を利用して覆う。フロア補助具１１への床材１３の嵌入量は変えることが可能で、床材１３の木口部と既存の巾木の表面との隙間に対応させることができ、したがって、精度を要する加工が必要なくなり、シーリング剤の使用も不要となり、床材１３の施工が高度の熟練を要するものでなくなる。
【特許文献１】特開２０００−１７０３６６号公報
【発明の開示】
【発明が解決しようとする課題】
【０００６】
上記のとおりの効果を奏するフロア補助具１１ではあるが、このフロア補助具１１では、壁際における内壁または既存の巾木との間の隙間調節は、結局は、当接片１２の内壁面または巾木への当接に依存している。つまり、フロア補助具１１を内壁または既存の巾木にしっかりと押し当てることができず、フロア補助具１１を用いた床材１３の施工では、フロア補助具１１と内壁または既存の巾木との間に隙間が形成されることが少なくない。これは、フロア補助具１１が縦断面コ字状の部材であることによるところが大きく、床材１３の安定した施工状態が得られない。また、当接片１２をスカート状としているため、めくれという問題もある。当接片１２のめくれにより、壁際に隙間が形成されることがある。
【０００７】
本願発明は、このような事情に鑑みてなされたものであり、既存の床に新たな床材を貼り付ける床のリフォームにおいて、壁際においてぴったりと隙間なく配設することのできる新たな見切り材を提供することを課題としている。
【課題を解決するための手段】
【０００８】
本願発明は、上記の課題を解決するために、第１には、前方に向けて開放され、床材の木口部が嵌入する嵌合溝を備え、背面が、下端から上端に向かって斜め後方に傾斜する、弾性材から形成されたことを特徴としている。
【０００９】
本願発明は、第２には、第１の特徴に加え、嵌合溝の前端上部から背面上端にかけて傾斜する面を有し、上端部に当接片を備えていることを特徴としている。
【発明の効果】
【００１０】
本願発明の第１の見切り材によれば、床材を内壁または既存の巾木に押し当てて施工することができ、このため、壁際に隙間は生じない。見切り材は、内壁または既存の巾木にぴったりと接触する。
【００１１】
本願発明の第２の見切り材によれば、見切り材上端部にめくれが生じず、よりぴったりと内壁または既存の巾木に接触し、美麗に仕上がる。
【発明を実施するための最良の形態】
【００１２】
図１は、本願発明の見切り材の一実施形態を示した斜視図である。
【００１３】
見切り材１は、前方に向けて開放された嵌合溝２を備えている。嵌合溝２は、縦断面コ字型の形状を有し、見切り材１の前側に見切り材１の長さ方向に沿って形成されている。この嵌合溝２は、壁際に配設される床材の木口部の嵌入を可能としている。奥行きａは、３mm〜１０mm程度が例示される。開口幅ｂは、床材の厚みに応じて適宜設定することができる。
【００１４】
また、見切り材１では、内壁または既存の巾木に接触する背面３が、床側に配置される下端から上端に向かって斜め後方に傾斜している。さらに、見切り材１は、嵌合溝２の前端上部から背面３の上端にかけてなだらかに傾斜する面を有し、上端部に当接片４を備えてもいる。
【００１５】
このような見切り材１は弾性材から形成されている。弾性材は、その種類は特定されず、たとえば、塩化ビニル、ポリエチレン、ポリプロピレン等の熱可塑性樹脂、熱可塑性エラストマー等のゴム、そして、これらの組合せ等が例示される。また、タルク、炭酸カルシウム等のフィラーを添加したり、発泡剤により発泡させたものとしたりすることもできる。より具体的には、ポリエチレン７９重量部、軟質改質材２０重量部および顔料１重量部を配合したもの、また、ポリエチレン７９重量部、軟質改質材１８重量部、顔料１重量部および発泡剤（アゾジカーボンアミド）２重量部を配合したもの等が例示される。
【００１６】
そして、見切り材１は、以上の弾性材を用いて異形押出し成形により一体的に成形されている。異形押出し成形には、たとえば、パラレル２軸押出し機等を用いることができる。見切り材１の長さは、適宜切断して調節することができる。
【００１７】
以上の見切り材１を使用して床のリフォームを行う際には、図２の工程断面図に示したように、まず、新たな床材５の木口部を見切り材１の嵌合溝２内に嵌入する。見切り材１は、弾性を有しているため、床材５の木口部に嵌着する。
【００１８】
このようにして、見切り材１を床材５の木口部に取り付けた状態において、床材５を、図中の矢印方向である斜め下方に内壁または既存の巾木６に押し付けながら、既存の床７の上に粘着材または接着層８を介して貼り付ける。この状態での見切り材１を押し付ける力、すなわち押付け力は、図中に示した矢印方向である。その結果、見切り材１は、自己の弾性により変形し、壁際に押し付けられて縮み、斜め後方に傾斜していた背面３が起立状態となり、当接片４とともに、内壁または既存の巾木６に密着する。見切り材１と内壁または既存の巾木６との間に隙間は生じない。当接片４のめくれも生じない。見切り材１は、接着材、釘等を使用しなくとも、壁際に安定に取り付けられる。施工後、すぐに床材５の上を歩行しても壁際に隙間は生じない。見切り材１は、ぴったりと内壁または既存の巾木６に接触し、美麗に仕上がる。
【００１９】
このように、既存の床７に新たな床材５を貼り付ける床のリフォームにおいて、見切り材１を用いることにより、床材５を内壁または既存の巾木６に押し当てて施工することが可能となり、壁際に隙間を生じさせない。見切り材１は、内壁または既存の巾木６にぴったりと接触して配設され、床材５の安定した施工状態が得られる。
【００２０】
なお、この見切り材１を用いた床のリフォームにおいても、図３に示したフロア補助具１１と同様に、既存の床７の上に貼り付ける新たな床材５に精度を要する加工を施す必要はなく、シーリング剤の使用も不要となる。床材５の施工に高度の熟練を要しない。
【図面の簡単な説明】
【００２１】
【図１】本願発明の見切り材の一実施形態を示した斜視図である。
【図２】図１に示した見切り材を用いた床のリフォームを示した要部工程断面図である。
【図３】本願前に提案されているフロア補助具と床材の施工状態を示した要部断面図である。
【符号の説明】
【００２２】
１    見切り材
２    嵌合溝
３    背面
４    当接片
５    床材
６    内壁または既存の巾木
７    既存の床
８    粘着材または接着層
【図１】
2006152546.tif 000003
【図２】
2006152546.tif 000004
【図３】
2006152546.tif 000005